(57)【要約】【課題】従来の有機性資源（生ごみ等）の保存回収容器は、腐敗が進んで悪臭や害虫が発生し家庭での保存回収が大変困難であった。これは保存回収容器が密閉式のため通気性が無く腐敗（謙気性発酵）が促進されて悪臭や害虫が発生するためである。【解決手段】外側容器（１）の下部側面壁に通気口（２）を設け、ここに害虫侵入防止網（３）を設ける。ここに底上げされた内側容器（５）の側面壁に一定間隔に通気口（６）を設け、底部に通気口として筒状網部材（７）を設ける。蓋（８）に通気口（９）を設けこの部分に害虫侵入防止網（１０）を設け構成した。これにより有機性資源の腐敗及び悪臭や害虫の発生を防止することができるとともに、保存回収間隔を従来より長く延ばすことができる。【選択図】図１
2005112627.tif 000002
【特許請求の範囲】
【請求項１】
外側容器（１）の下部側面壁に通気口（２）を設け、ここに害虫侵入防止網（３）を設ける。底上げされた内側容器（５）は側面壁に一定の間隔に通気口（６）を設け、底部に通気口として筒状網部材（７）を設ける。蓋（８）に通気口（９）を設けこの部分に害虫侵入防止網（１０）を設ける。
外側容器（１）の中に内側容器（５）及び筒状網部材（７）を設置し有機性資源（生ごみ等）を入れて蓋（８）をする。
以上のように構成された有機性資源の腐敗防止と、悪臭及び害虫を発生させない保存回収容器。
【請求項２】
内側容器（５）は外側容器（１）と分離し有機性資源の回収容器として持ち運びできることを特徴とした請求項１に記載の保存回収容器。
【請求項３】
外側容器（１）下部側面壁の通気口は垂直のスリット（２）を特徴とした請求項１に記載の保存回収容器。
【請求項４】
内側容器（５）の側面壁に通気口（６）は傾斜スリットを備えることを特徴とした請求項１に記載の保存回収容器。
【請求項５】
外側容器（１）底部（４）に防虫・消臭剤を設置することを特徴とした請求項１に記載の保存回収容器。
【請求項６】
蓋（８）に防虫及び消臭シート（１１）を備えることを特徴とした請求項１に記載の保存回収容器。
【請求項７】
蓋（８）に小型換気ファン（１２）を備えることを特徴とした請求項１に記載の保存回収容器。
【発明の詳細な説明】
【技術分野】
【０００１】  本発明は家庭からでる有機性資源（生ごみ等）を回収日まで保存しておく容器に関するものである。保存回収容器の通気性を高めて、家庭から排出される有機性資源の腐敗及び悪臭やハエ等の害虫の発生を防止する。更に保存中の有機性資源内部の通気性を高めることにより減量し、より多くの資源を保存することができる。【０００２】  本発明により家庭での有機性資源の保存処理を容易にすると共に、容器当たりの有機性資源の貯留量が増加し保存回収間隔を延ばすことができる。【０００３】  この様なことから回収経費の削減が図れる。また有機性資源の腐敗を防止することにより新鮮に保つことができるので、高品質の家畜飼料や肥料（堆肥）にリサイクルが可能になる等経済的効果が大きい。
【背景技術】
【０００４】  従来の容器は「臭いものには蓋をする」と言う観点から密閉容器による保存回収が行われてきた。有機性資源は水分が多く密閉容器では通気性が無いため腐敗（嫌気性発酵）が促進され、悪臭や害虫の発生が多く有機性資源の保存回収を困難にさせているのが現状である。【０００５】  特に夏期の高温期は一層腐敗し易いため悪臭や害虫の発生が多く、これは主婦にとって大変わずらわしい作業となっている。
【発明の開示】
【発明が解決しようとする課題】
【０００６】  循環型社会の構築に向けて家庭における有機性資源の保存回収を促進させるには、有機性資源の水切りの徹底、保存回収容器での腐敗及び悪臭と害虫の発生防止が課題となる。本発明はこのような課題を解決した発明である。【０００７】  市販されている保存容器は何れも密閉型で有機性資源の腐敗防止と悪臭や害虫の発生を防止することができない。本発明はこうした使用者の強い要望を実現することを目的とする。
【課題を解決するための手段】
【０００８】  そして本発明は上記目的を達成するために、外側容器の下部側面壁に通気口を設け、ここに害虫侵入防止網を貼って内側容器内の有機性資源への通気性を確保するようにした。【０００９】  更に底上げした内側容器の側面壁に一定の間隔の通気口を設けるとともに、内側容器の底部からの通気口として筒状網部材を設け、内側容器内有機性資源の通気性を高めることにより腐敗を防止することができる。【００１０】  蓋に通気口を設けこの部分に害虫侵入防止網を貼る。このことにより容器内の空気の流れは、外容器通気口から内側容器内の有機性資源を通過し上部の蓋から外側に出るので、内側容器の通気性が高まり腐敗及び悪臭や害虫の発生を防止することができる。【００１１】  外側容器の底部に防虫・消臭剤を、また蓋の内側に防虫・消臭シートを備えることにより、高温期腐敗の発生し易い時も臭気や害虫の発生防止効果がある。【００１２】  有機性資源回収日には内側容器を取出し内側容器のまま資源回収場所へ搬入することができ効率的である。
【発明の効果】
【００１３】  また好気的環境の元では有機性資源の水分が低下して、容量が減少するので従来の貯留量より多く貯留することができるため、保存回収間隔を従来より長く延ばすことができ、このことにより回収経費の削減が図れる。【００１４】  この方法で行うと袋収集と比べて新聞紙や紙袋等の混入が無いので純度が高く家畜の飼料としての利用も可能になる。また肥料（堆肥）としても高品質の肥料へのリサイクルが可能になる等経済的効果が大きい。
【発明を実施するための最良の形態】
【実施例】
【００１５】  次に本発明の実施の形態を図１〜図１２に基づいて説明する。
容器内の空気の流れは外側容器（１）下部側面壁の通気口（２）より入り外側容器と内側容器（５）の空間全体に空気が供給される。【００１６】  内側容器の側面壁に設けた通気口（６）及び内側容器底部に設置した筒状網部材（７）から入った空気は有機性資源内部を通過し好気的環境に保ちながら、容器上部蓋（８）から容器外に出る。【００１７】  このような空気の流れにより、内側容器全体が好気的環境に保たれ腐敗による悪臭及び害虫の発生を防止することができる。また好気的環境の元では有機性資源の水分が低下して、減量するので従来の貯留量より多く貯留することができ、保存回収間隔を従来より長く延ばすことができる。【００１８】  貯留有機性資源を集積所に搬入する時は、内側容器（５）を取出してそのまま集積所に持ち込んで備え付けの容器に空けてくるだけで済む。この方法で行うと袋収集と比べて新聞紙や紙袋等の混入が無いので有機性資源の純度が高く家畜の飼料としての利用も可能になるばかりか堆肥（肥料）としても高品質の堆肥の製造が可能になる。【００１９】  尚、特に水分の多い有機性資源及び夏期の高温期、腐敗し易い時期は外側容器（１）の底部（４）に防虫・消臭剤及び蓋（８）の内側に防虫及び消臭シート（１１）を設置することにより防虫・消臭効果を高めることができる。【００２０】  更に梅雨時は通気性が低下し腐敗環境になり易いこと、また夏期は高温により腐敗し易いのでこのような状態の時は蓋（８）に設けた小型換気ファン（１２）によって強制換気を行い腐敗及び悪臭や害虫の発生を防止と有機性資源の減量を促進することができる。
【産業上の利用の可能性】
【図面の簡単な説明】
【００２１】
【図１】    本発明の容器を示した斜視図である。
【図２】    本発明の蓋を示した斜視図である。
【符号の説明】
【００２２】    １外側容器
２外側容器通気口
３外側容器通気口害虫侵入防止網
４外側容器底部防虫及び消臭剤設置
５内側容器
６内側容器通気口
７内側容器底部通気口筒状網
８蓋
９蓋通気口
１０蓋通気口害虫侵入防止網
１１防虫及び消臭シート貼り付け
１２蓋換気ファン
【図１】
2005112627.tif 000003
【図２】
2005112627.tif 000004